(57)【要約】【課題】リスク管理自己評価情報における評価項目に関する評価作業にかかる効率を向上させる。【解決手段】事務処理のための資産に関わる区分情報、当該区分の資産に関する予め想定した損失（リスク）、当該損失の評価、当該損失が発生することを回避するための施策（コントロール）、および当該施策の有効性の有無を示す情報を関連付けた管理情報を記憶装置４に記憶しておく。この管理情報で示される資産の区分のうち、損失の評価対象となる資産の区分および施策の有効性の評価対象となる資産に関わる区分情報を入力すると、この区分に関わる損失や施策の一覧を抽出し、出力装置３に表示させ、これら損失や施策の評価値の入力を受け付ける。【選択図】      図１
2010231600.tif 000002
【特許請求の範囲】
【請求項１】
事務処理のための資産に関わる区分情報、当該区分の資産に関する予め想定した損失を特定するための損失情報、および当該損失が発生することを回避するための施策を特定するための施策情報を関連付けた管理情報を記憶する管理情報記憶手段と、
前記管理情報で示される区分情報のうち、前記損失の評価対象または当該損失を回避するための施策の有効性の評価対象の資産に関わる区分情報を入力する区分情報入力手段と、
前記管理情報のうち、前記区分情報入力手段により入力した区分情報と関連付けられる前記損失情報および前記区分情報入力手段により入力した区分情報と関連付けられる前記施策情報を抽出する抽出手段と、
前記抽出手段により抽出した損失情報で特定される損失の規模を入力する損失規模入力手段と、
前記抽出手段により抽出した施策情報で特定される施策のうち有効性がある施策を示す情報を入力する施策有効性入力手段と、
前記損失規模入力手段により入力した情報を当該情報に関わる損失情報とともに出力し、前記施策有効性入力手段により入力した情報を当該情報に関わる施策情報とともに出力する出力手段と
を備えたことを特徴とする事務品質管理装置。
【請求項２】
前記管理情報記憶手段に記憶される管理情報における、資産に関わる区分情報は、当該資産に関わる機器の形態を示す情報である
ことを特徴とする請求項１に記載の事務品質管理装置。
【請求項３】
前記管理情報記憶手段に記憶される管理情報における、資産に関わる区分情報は、当該資産の所管組織の分類を示す情報である
ことを特徴とする請求項１に記載の事務品質管理装置。
【請求項４】
前記抽出手段は、
前記管理情報記憶手段に記憶される管理情報で示される前記損失情報のうち、前記入力手段により入力した区分情報と関連付けられる損失情報を当該損失情報で特定される損失を回避するための施策を特定するための施策情報を参照することなく抽出し、
前記管理情報で示される前記施策情報のうち、前記入力手段により入力した区分情報と関連付けられる施策情報を当該施策情報で特定される施策に関わる損失を特定するための損失情報を参照することなく抽出する
ことを特徴とする請求項１に記載の事務品質管理装置。
【請求項５】
事務処理のための資産に関わる区分情報、当該区分の資産に関する予め想定した損失を特定するための損失情報、および当該損失が発生することを回避するための施策を特定するための施策情報を関連付けた管理情報を記憶する管理情報記憶手段を備えたコンピュータを、
前記管理情報で示される区分情報のうち、前記損失の評価対象または当該損失を回避するための施策の有効性の評価対象の資産に関わる区分情報を入力する区分情報入力手段、
前記管理情報のうち、前記入力手段により入力した区分情報と関連付けられる前記損失情報および前記区分情報入力手段により入力した区分情報と関連付けられる前記施策情報を抽出する抽出手段、
前記抽出手段により抽出した損失情報で特定される損失の規模を入力する損失規模入力手段、
前記抽出手段により抽出した施策情報で特定される施策のうち有効性がある施策を示す情報を入力する施策有効性入力手段、
前記損失規模入力手段により入力した情報を当該情報に関わる損失情報とともに出力し、前記施策有効性入力手段により入力した情報を当該情報に関わる施策情報とともに出力する出力手段
として機能させるようにした事務品質管理処理プログラム。
【発明の詳細な説明】
【技術分野】
【０００１】
本発明は、金融機関等の組織における事務処理の品質を管理する事務品質管理装置および事務品質管理処理プログラムに関する。
【背景技術】
【０００２】
近年、金融機関において、信用リスク・市場リスクに加え、オペレーショナルリスクを独立してとらえ、リスクの定量化をもとに所要自己資本比率を割り当てることが画策されている。その際、オペレーショナルリスクに関するマネジメントシステムが適格用件のひとつとなっている。
【０００３】
これにしたがい、各金融機関ではオペレーショナル・リスク・マネジメントシステムの構築が進められている。
【０００４】
また、銀行業界においては、バーゼルII規制によりオペレーショナル・リスク管理の高度化が要求され、これに伴う金融検査マニュアルへの対応や金融商取引法(J-SOX)による内部統制関係業務の負荷が増大しており、制度対応にとどまらない実効的な内部統制管理が必要とされている。
【０００５】
金融機関では、オペレーショナル・リスク・マネジメントシステムを用いて、事務処理において過去に発生した損失の事例情報を管理して、当該損失の再発を防ぐための情報を管理するが、この管理とは別に、例えば特許文献１に開示されるように、予め想定した規模の損失の発生を回避するための情報であるリスク管理自己評価（Ｒｉｓｋ  Ｃｏｎｔｒｏｌ  Ｓｅｌｆ  Ａｓｓｅｓｓｍｅｎｔ：ＲＣＳＡ）情報の管理を行っている。
【先行技術文献】
【特許文献】
【０００６】
【特許文献１】特開２００８−２８７６０４号公報
【発明の概要】
【発明が解決しようとする課題】
【０００７】
従来のリスク管理自己評価情報では、評価対象の資産に対し、どのようなリスクとコントロールがあるかを現在の事務規程から総当りで定義しており、評価の入力や評価項目の見直しを行なうためには、事務規定を参照しながら目的のリスクやコントロールを探し出す必要があり、事務規定の項目が多くなるほど評価の入力や評価項目の見直しにかかる効率が低下していた。
【０００８】
そこで、本発明の目的は、リスク管理自己評価情報における評価項目に関する評価作業にかかる効率を向上させることが可能になる事務品質管理装置および事務品質管理処理プログラムを提供することにある。
【課題を解決するための手段】
【０００９】
すなわち、本発明に係わる事務品質管理装置は、事務処理のための資産に関わる区分情報、当該区分の資産に関する予め想定した損失を特定するための損失情報、および当該損失が発生することを回避するための施策を特定するための施策情報を関連付けた管理情報を記憶する管理情報記憶手段と、前記管理情報で示される区分情報のうち、前記損失の評価対象または当該損失を回避するための施策の有効性の評価対象の資産に関わる区分情報を入力する区分情報入力手段と、前記管理情報のうち、前記区分情報入力手段により入力した区分情報と関連付けられる前記損失情報および前記区分情報入力手段により入力した区分情報と関連付けられる前記施策情報を抽出する抽出手段と、前記抽出手段により抽出した損失情報で特定される損失の規模を入力する損失規模入力手段と、前記抽出手段により抽出した施策情報で特定される施策のうち有効性がある施策を示す情報を入力する施策有効性入力手段と、前記損失規模入力手段により入力した情報を当該情報に関わる損失情報とともに出力し、前記施策有効性入力手段により入力した情報を当該情報に関わる施策情報とともに出力する出力手段とを備えたことを特徴とする。
【発明の効果】
【００１０】
本発明によれば、リスク管理自己評価情報における評価項目に関する評価作業にかかる効率を向上させることができる。
【図面の簡単な説明】
【００１１】
【図１】本発明の実施形態における事務品質管理装置の構成例を示すブロック図。
【図２】本発明の実施形態における事務品質管理装置の記憶装置４に記憶されるリスク分類テーブルの構成例を表形式で示す図。
【図３】本発明の実施形態における事務品質管理装置の記憶装置４に記憶されるコントロール評価第１テーブル（その１）の構成例を表形式で示す図。
【図４】本発明の実施形態における事務品質管理装置の記憶装置４に記憶されるコントロール評価第１テーブル（その２）の構成例を表形式で示す図。
【図５】本発明の実施形態における事務品質管理装置の記憶装置４に記憶されるコントロール評価第２テーブル（その１）の構成例を表形式で示す図。
【図６】本発明の実施形態における事務品質管理装置の記憶装置４に記憶されるコントロール評価第２テーブル（その２）の構成例を表形式で示す図。
【図７】本発明の実施形態における事務品質管理装置の記憶装置４に記憶される潜在リスク分類テーブルの構成例を表形式で示す図。
【図８】本発明の実施形態における事務品質管理装置の記憶装置４に記憶されるリスク発生分類テーブルの構成例を表形式で示す図。
【図９】本発明の実施形態における事務品質管理装置の記憶装置４に記憶される損失シナリオ−損失事象種類関連テーブルの構成例を表形式で示す図。
【図１０】本発明の実施形態における事務品質管理装置の記憶装置４に記憶されるコントロールグループ−損失シナリオ関連テーブルの構成例を表形式で示す図。
【図１１】本発明の実施形態における事務品質管理装置の記憶装置４に記憶される損失シナリオ−潜在リスク分類関連テーブルの構成例を表形式で示す図。
【図１２】本発明の実施形態における事務品質管理装置の記憶装置４に記憶されるサブコントロール内容テーブルの構成例を表形式で示す図。
【図１３】本発明の実施形態における事務品質管理装置の記憶装置４に記憶されるコントロール評価大分類テーブルの構成例を表形式で示す図。
【図１４】本発明の実施形態における事務品質管理装置の記憶装置４に記憶されるコントロール評価小分類テーブルの構成例を表形式で示す図。
【図１５】本発明の実施形態における事務品質管理装置の記憶装置４に記憶される損失事象テーブルの構成例を表形式で示す図。
【図１６】本発明の実施形態における事務品質管理装置の記憶装置４に記憶されるメインコントロール文書テーブルの構成例を表形式で示す図。
【図１７】本発明の実施形態における事務品質管理装置の記憶装置４に記憶される損失シナリオテーブルの構成例を表形式で示す図。
【図１８】本発明の実施形態における事務品質管理装置の記憶装置４に記憶されるコントロールグループパターンテーブルの構成例を表形式で示す図。
【図１９】本発明の実施形態における事務品質管理装置の処理動作の一例を示すフローチャート。
【図２０】本発明の実施形態における事務品質管理装置による評価対象入力処理の一例を示すフローチャート。
【図２１】本発明の実施形態における事務品質管理装置による評価対象種別選択画面の一例を示す図。
【図２２】本発明の実施形態における事務品質管理装置による評価対象システム・形態登録画面の一例を示す図。
【図２３】本発明の実施形態における事務品質管理装置による評価対象管理組織・分類登録画面の一例を示す図。
【図２４】本発明の実施形態における事務品質管理装置によるリスク・コントロール抽出処理の一例を示すフローチャート。
【図２５】本発明の実施形態における事務品質管理装置によるパターンＩＤ生成の手順を説明するための図。
【図２６】本発明の実施形態における事務品質管理装置によるリスク一覧取得の手順を説明するための図。
【図２７】本発明の実施形態における事務品質管理装置によるコントロール一覧取得の手順を説明するための図。
【図２８】本発明の実施形態における事務品質管理装置による評価対象リスク管理テーブルの構成例を表形式で示す図。
【図２９】本発明の実施形態における事務品質管理装置による評価対象コントロール管理テーブルの構成例を表形式で示す図。
【図３０】本発明の実施形態における事務品質管理装置による評価入力処理の一例を示すフローチャート。
【図３１】本発明の実施形態における事務品質管理装置による評価入力種別選択画面の一例を示す図。
【図３２】本発明の実施形態における事務品質管理装置によるリスク評価入力画面の表示例を示す図。
【図３３】本発明の実施形態における事務品質管理装置によるコントロール評価入力画面の表示例を示す図。
【図３４】本発明の実施形態における事務品質管理装置によるリスク管理自己評価データベース帳票の表示例を示す図。
【発明を実施するための形態】
【００１２】
以下、図面により本発明の実施形態について説明する。  
図１は、本発明の実施形態における事務品質管理装置の構成例を示すブロック図である。  
図１に示すように、本発明の実施形態における事務品質管理装置は、装置全体の処理動作を司る制御部１、入力装置２、出力装置３、記憶装置４、パターンＩＤ生成部５、評価対象区分情報処理部６、評価対象リスク一覧抽出部７、評価対象リスク一覧出力制御部８、評価対象コントロール一覧抽出部９、評価対象コントロール一覧出力制御部１０、画面出力制御部１１、演算処理部１２を備え、それぞれがバス１３を介して相互に接続される。
【００１３】
記憶装置４は、ハードディスクドライブや不揮発性メモリなどの記憶媒体であり、制御部１、パターンＩＤ生成部５、評価対象区分情報処理部６、評価対象リスク一覧抽出部７、評価対象リスク一覧出力制御部８、評価対象コントロール一覧抽出部９、評価対象コントロール一覧出力制御部１０、画面出力制御部１１、演算処理部１２による実行対象の制御用プログラムを記憶する他、リスク管理情報記憶部４１、評価対象情報記憶部４２、評価対象リスク一覧記憶部４３および評価対象コントロール一覧記憶部４４を有する。
【００１４】
リスク管理情報記憶部４１は、事務処理のための資産に関わる区分情報、当該区分の資産に関する予め想定した損失（リスク）を特定するための損失情報、当該損失の評価値、当該損失が発生することを回避するための施策（コントロール）を特定するための施策情報、および当該施策の評価値を示す情報を関連付けた管理情報を記憶する管理情報記憶手段である。
【００１５】
事務処理のための資産の区分とは、リスク管理情報記憶部４１に記憶される管理情報における当該資産に関わる機器の形態を示す情報、もしくはリスク管理情報記憶部４１に管理情報における、資産の所管組織の分類を示す情報である。
【００１６】
損失の評価値とは、想定される損失額の最大値であり、施策の評価とは当該施策の有効性の有無の評価結果である。  
評価対象情報記憶部４２は、管理情報で示される区分情報のうち、損失や施策の評価対象として指定された区分情報を記憶する。
【００１７】
評価対象リスク一覧記憶部４３は、管理情報で示される損失のうち、前述したように指定された評価対象となる資産の区分に関わる損失および当該損失の評価値の一覧を記憶する。  
評価対象コントロール一覧記憶部４４は、管理情報で示される施策のうち、前述したように指定された評価対象となる資産の区分に関わる損失が発生することを回避するための施策および当該施策の評価値の一覧を記憶する。
【００１８】
入力装置２は、例えばキーボードやマウスであり、出力装置３は例えばディスプレイ装置やプリンタ装置である。以後、出力装置３はディスプレイ装置であるとして説明を行なう。入力装置２は、管理情報で示される区分情報のうち、損失の評価対象または当該損失を回避するための施策の有効性の評価対象の資産に関わる区分情報を入力する区分情報入力手段である。
【００１９】
パターンＩＤ生成部５は、前述したように指定された評価対象の区分を示す情報をもとにしたパターンＩＤを生成する。  
評価対象区分情報処理部６は、パターンＩＤ生成部５により生成したパターンＩＤを評価対象情報記憶部４２に記憶する。
【００２０】
評価対象リスク一覧抽出部７は、パターンＩＤおよびリスク管理情報記憶部４１に記憶された管理情報をもとに、前述したように指定された評価対象の区分に対応するリスクの一覧を抽出する。  
評価対象リスク一覧出力制御部８は、評価対象リスク一覧抽出部７により抽出したリスクの一覧を出力装置３に出力する。
【００２１】
評価対象コントロール一覧抽出部９は、パターンＩＤおよびリスク管理情報記憶部４１に記憶された管理情報をもとに、前述したように指定された評価対象の区分に対応するコントロールの一覧を抽出する。  
評価対象コントロール一覧出力制御部１０は、評価対象コントロール一覧抽出部９により抽出したコントロールの一覧を出力装置３に出力する。
【００２２】
入力装置２は、抽出された損失情報で特定される損失の規模を入力する損失規模入力手段であり、抽出した施策情報で特定される施策のうち有効性がある施策を示す情報を入力する施策有効性入力手段でもある。
【００２３】
図２は、本発明の実施形態における事務品質管理装置の記憶装置４に記憶されるリスク分類テーブルの構成例を表形式で示す図である。  
このリスク分類テーブルは、記憶装置４のリスク管理情報記憶部４１に記憶され、リスク分類テーブル上のリスク発生分類、潜在リスク分類、損失シナリオ、想定損失規模（最大）、損失事象マッピング情報が関連付けられる。前述した、損失を特定するための損失情報とは、リスク発生分類、潜在リスク分類、損失シナリオ、想定損失規模（最大）および損失事象マッピング情報である。
【００２４】
図２に示すように、リスク分類テーブル上のリスク発生分類は、「災害、施設破壊（テロ等）」、「不正アクセス・なりすまし」、「ハードウェア障害」、「ソフトウェア障害」、「ネットワーク障害」、「コンピュータウイルス」、「外部委託先の問題」、「開発工程上の問題」、「運用上の事故、過誤」、「インターネット業務取引の不正」、「ハードウェア／ソフトウェア障害」に区分される。
【００２５】
リスク分類テーブル上の潜在リスク分類の情報は、リスク分類テーブル上のリスク発生分類に対し複数種類の潜在リスク分類のいずれが該当するかを示す情報であり、図２に示すように、「情報漏洩／改ざん」、「システム停止／復旧遅延」および「リリース遅延」に区分される。
【００２６】
また、リスク分類テーブル上の損失事象マッピング情報は、リスク分類テーブル上の損失シナリオに対し、複数種類の損失事象のいずれが該当するかを示す情報である。図２に示すように、損失事象は、「内部の不正」、「外部からの不正」、「顧客、商品および取引慣行」、「有形資産に対する損傷」、「事業活動の中断およびシステム障害」、「注文等の執行、送達プロセスの管理」に区分される。
【００２７】
図３および図４は、本発明の実施形態における事務品質管理装置の記憶装置４に記憶されるコントロール評価第１テーブルの構成例を表形式で示す図である。ここでは、コントロール評価第１テーブルは図３に示したテーブルと図４に示したテーブルとに分かれているが、これらをあわせた単一のテーブルとしてもよい。
【００２８】
コントロール評価第１テーブルは、資産であるシステムのシステムリスクに関するコントロールについて記述したテーブルであり、図３および図４に示すように、「損失シナリオ」、「コントロール評価」、「システム重要度」、「情報重要度」、「形態」、「ネットワーク」、「会社区分」、「拠点区分」が関連付けられて、記憶装置４のリスク管理情報記憶部４１に記憶される。
【００２９】
コントロール評価第１テーブル上のコントロール評価は、図３に示すように「大分類」、「小分類」、「規定へのＲＥＦ（関連会社除く）」、「コントロールグループＩＤ」、「メインコントロール」、「メインコントロール評価」、「サブコントロール」、「サブコントロール評価」に区分される。規定へのＲＥＦ（関連会社除く）は、事務規定の参照情報である。
【００３０】
コントロール評価第１テーブル上のコントロールグループＩＤは、メインコントロールごとに一意に付与される識別情報である。また、サブコントロールとは、メインコントロールが有効でない、つまり現時点で実施されていない、もしくは実施の予定が無い場合に用いる施策である。
【００３１】
前述した、施策を特定するための施策情報とは、コントロール評価第１テーブル上のコントロール評価の「大分類」、「小分類」、「規定へのＲＥＦ（関連会社除く）」、「コントロールグループＩＤ」、「メインコントロール」、「メインコントロール評価」、「サブコントロール」、「サブコントロール評価」である。
【００３２】
コントロール評価第１テーブル上のコントロール評価の大分類、小分類、規定へのＲＥＦ（関連会社除く）は、当該テーブル上のコントロールグループＩＤごとに定められる。  
コントロール評価第１テーブル上の「損失シナリオ」は、当該テーブル上のサブコントロールごとに定められる。
【００３３】
コントロール評価第１テーブル上の「システム重要度」は、当該テーブル上で関連付けられるメインコントロールが関わるシステムの重要度を示し、図３に示すように「最重要」、「重要」、「一般」に区分される。  
コントロール評価第１テーブル上の「情報重要度」は、当該テーブル上で関連付けられるメインコントロールが関わる情報の重要度を示し、図３に示すように「最重要」、「重要」、「一般」に区分される。
【００３４】
コントロール評価第１テーブル上の「形態」は、当該テーブル上で関連付けられるコントロールＩＤに対応するメインコントロールに関わる機器の種別を示し、図４に示すように「サーバー」、「クライアント」、「単体ＰＣ」に区分される。また、それぞれの種別の項目には識別番号が対応付けられる。各区分のうち「サーバー」の識別番号は「１」で、「クライアント」の識別番号は「２」で、「単体ＰＣ」の識別番号は「３」である。
【００３５】
コントロール評価第１テーブル上の「ネットワーク」は、当該テーブル上で関連付けられるコントロールＩＤに対応するメインコントロールに関わるネットワークの種別を示し、図４に示すように「接続無」、「行内」、「外部接続(遠隔操作除く)」、「外部からの遠隔操作」、「インターネット接続」、「インバン業務」に区分される。各区分のうち「接続無」の識別番号は「４」で、「行内」の識別番号は「５」で、「外部接続(遠隔操作除く)」の識別番号は「６」で、「外部からの遠隔操作」の識別番号は「７」で、「インターネット接続」の識別番号は「８」で、「インバン業務」の識別番号は「９」である。
【００３６】
コントロール評価第１テーブル上の「会社区分」は、当該テーブル上で関連付けられるコントロールＩＤに対応するメインコントロールに関わるシステムを運用する会社の種別を示し、図４に示すように「銀行本体」、「関連会社」に区分される。各区分のうち「銀行本体」の識別番号は「１０」で、「関連会社」の識別番号は「１１」である。
【００３７】
また、コントロール評価第１テーブル上の「拠点区分」は、当該テーブル上で関連付けられるコントロールＩＤに対応するメインコントロールに関わるシステムの運用拠点の種別を示し、図４に示すように「事務センター」、「本店」、「営業店」、「海外店」、「関連会社」、「外部センター」、「データセンター」に区分される。各区分のうち「事務センター」の識別番号は「１２」で、「本店」の識別番号は「１３」で、「営業店」の識別番号は「１４」で、「海外店」の識別番号は「１５」で、「関連会社」の識別番号は「１６」で、「外部センター」の識別番号は「１７」で、「データセンター」の識別番号は「１８」である。
【００３８】
コントロール評価第１テーブル上のメインコントロールは、当該メインコントロールに関連付けられる、「システム重要度」、「情報重要度」、「形態」、「ネットワーク」、「会社区分」、「拠点区分」に格納される条件を満たす場合に評価すべきメインコントロールを意味する。
【００３９】
具体的には、コントロール評価第１テーブル上のメインコントロールに関連付けられる、図４に示した「システム重要度」および「情報重要度」の「最重要」、「重要」、「一般」の欄に「○」が格納されている場合、この欄の重要度はテーブル上で関連付けられるメインコントロールが関わる重要度であることを意味する。  
また、コントロール評価第１テーブル上のメインコントロールに関連付けられる、図４に示した「形態」、「ネットワーク」、「会社区分」、「拠点区分」において区分される欄の一部には当該区分に対応する識別番号が格納されている場合、この識別番号に対応する区分は、テーブル上で関連付けられるメインコントロールが関わる区分であることを意味する。
【００４０】
図４に示した例では、コントロールグループＩＤ「３０００１」に関連付けられるシステム重要度の「最重要」および「重要」の欄に「○」が格納され、同じく関連付けられる情報重要度の「最重要」および「重要」の欄に「○」が格納され、同じく関連付けられる「形態」の「サーバー」の欄に当該サーバーの識別番号である「１」が格納されている。これは、評価対象のシステムのシステム重要度が「最重要」および「重要」のいずれかである場合で、かつ、情報重要度が「最重要」および「重要」のいずれかである場合で、かつ、評価対象のシステムの機器がサーバーを含む場合に評価すべきメインコントロールは、コントロールグループＩＤ「３０００１」に対応するメインコントロール「サーバーの物理アクセス制限として、…」を含むことを意味する。
【００４１】
図５および図６は、本発明の実施形態における事務品質管理装置の記憶装置４に記憶されるコントロール評価第２テーブルの構成例を表形式で示す図である。ここでは、コントロール評価第２テーブルは図５に示したテーブルと図６に示したテーブルとに分かれているが、これらをあわせた単一のテーブルとしてもよい。
【００４２】
コントロール評価第２テーブルは、資産であるシステムの管理組織に関するコントロールについて記述したテーブルであり、「損失シナリオ」、「コントロール評価」、「所管」、「拠点」が関連付けられて、記憶装置４のリスク管理情報記憶部４１に記憶される。
【００４３】
コントロール評価第２テーブル上のコントロール評価は、コントロール評価第１テーブルと同様に、図５に示すように「大分類」、「小分類」、「規定へのＲＥＦ（関連会社除く）」、「コントロールグループＩＤ」、「メインコントロール」、「メインコントロール評価」、「サブコントロール」、「サブコントロール評価」に区分される。
【００４４】
コントロール評価第２テーブル上の「所管」は、図６に示すように「システム部」、「総務部」、「本部」、「関連会社」に区分される。各区分のうち「システム部」の識別番号は「１」で、「総務部」の識別番号は「２」で、「本部」の識別番号は「３」で、「関連会社」の識別番号は「４」である。
【００４５】
コントロール評価第２テーブル上の「拠点」は、図６に示すように「事務センター」、「本店」、「営業店」、「海外店」、「関連会社」、「外部センター」、「データセンター」に区分される。各区分のうち「事務センター」の識別番号は「５」で、「本店」の識別番号は「６」で、「営業店」の識別番号は「７」で、「海外店」の識別番号は「８」で、「関連会社」の識別番号は「９」で、「外部センター」の識別番号は「１０」で、「データセンター」の識別番号は「１１」である。
【００４６】
コントロール評価第２テーブル上のメインコントロールは、当該メインコントロールに関連付けられる、「所管」、「組織」、に格納される条件を満たす場合に評価すべきメインコントロールを意味する。
【００４７】
具体的には、コントロール評価第２テーブル上のメインコントロールに関連付けられる、図６に示した「所管」、「組織」において区分される欄の一部には当該区分に対応する識別番号が格納されている場合、この識別番号に対応する区分は、テーブル上で関連付けられるメインコントロールが関わる区分であることを意味する。
【００４８】
図６に示した例では、コントロールグループＩＤ「３００６０」に関連付けられる「所管」の「総務部」の欄に当該総務部の識別番号である「２」が格納されている。これは、評価対象のシステムの管理組織が総務部を含む場合に評価すべきメインコントロールは、コントロールグループＩＤ「３００６０」に対応するメインコントロール「外部者が本店ビル内に立ち入る場合、…」を含むことを意味する。
【００４９】
前述したリスク分類テーブル、コントロール評価第１テーブル、コントロール評価第２テーブルは、以下に述べる各種テーブルに格納される情報を組み合わせて生成されるテーブルである。以下、リスク分類テーブル、コントロール評価第１テーブル、コントロール評価第２テーブルの生成のための各種テーブルの構成について説明する。
【００５０】
図７は、本発明の実施形態における事務品質管理装置の記憶装置４に記憶される潜在リスク分類テーブルの構成例を表形式で示す図である。  
この潜在リスク分類テーブルは、図２に示したリスク分類テーブル上の潜在リスク分類に関わる情報を格納するテーブルであり、潜在リスク分類ＩＤ、潜在リスク分類の内容、出力装置３への表示順、リスクの種類ＩＤ、無効フラグ、作成者ＩＤ、最終更新者ＩＤおよび更新日時が関連付けられて、記憶装置４のリスク管理情報記憶部４１に記憶される。
【００５１】
潜在リスク分類ＩＤは潜在リスク分類の内容について一意に付与される識別情報である。本実施形態では、潜在リスク分類の内容は図２や図７に示すように３種類であるので、潜在リスク分類ＩＤは「３０００１」〜「３０００３」の３種類である。リスクの種類ＩＤはリスクの種類の識別情報である。本実施形態では、リスクの種類ＩＤはシステムリスクを示す「３」としている。  
無効フラグは、テーブル上で対応付けられる各種項目が入力装置２への所定の操作により削除された場合に「１」となるフラグである。作成者ＩＤはテーブル上で対応付けられる各種項目の作成者のＩＤであり、最終更新者ＩＤはテーブル上で対応付けられる各種項目の最終更新者のＩＤである。
【００５２】
図８は、本発明の実施形態における事務品質管理装置の記憶装置４に記憶されるリスク発生分類テーブルの構成例を表形式で示す図である。  
この潜在リスク分類テーブルは、図２に示したリスク分類テーブル上のリスク発生分類に関わる情報を格納するためのテーブルであり、リスク発生分類ＩＤ、リスク発生分類の内容、表示順、リスクの種類ＩＤ、無効フラグ、作成者ＩＤ、最終更新者ＩＤおよび更新日時が関連付けられて、記憶装置４のリスク管理情報記憶部４１に記憶される。
【００５３】
リスク発生分類ＩＤはリスク発生分類の内容について一意に付与される識別情報である。本実施形態ではリスク発生分類の内容は図２や図８に示すように１１種類であるので、リスク発生分類ＩＤは「３０００１」〜「３０００１１」の１１種類である。
【００５４】
図９は、本発明の実施形態における事務品質管理装置の記憶装置４に記憶される損失シナリオ−損失事象種類関連テーブルの構成例を表形式で示す図である。  
この損失シナリオ−損失事象種類関連テーブルは、図２に示したリスク分類テーブル、コントロール評価第１テーブルもしくはコントロール評価第２テーブル上の損失シナリオと損失事象との種類の紐付け情報を格納するためのテーブルであり、損失シナリオＩＤ、損失事象種類ＩＤ、無効フラグ、最終更新者ＩＤおよび更新日時が関連付けられて、記憶装置４のリスク管理情報記憶部４１に記憶される。
【００５５】
損失シナリオＩＤは損失シナリオの内容について一意に付与される識別情報であり、損失事象種類ＩＤは、損失事象種類の内容について一意に付与される識別情報である。本実施形態では損失事象の内容は図２に示すように６種類であるので、損失事象種類ＩＤは「１」〜「６」の６種類である。
【００５６】
図１０は、本発明の実施形態における事務品質管理装置の記憶装置４に記憶されるコントロールグループ−損失シナリオ関連テーブルの構成例を表形式で示す図である。  
このコントロールグループ−損失シナリオ関連テーブルは、コントロールグループＩＤと損失シナリオとの紐付け情報を格納するためのテーブルであり、コントロールグループＩＤ、損失シナリオＩＤ、無効フラグ、最終更新者ＩＤおよび更新日時が関連付けられて、記憶装置４のリスク管理情報記憶部４１に記憶される。
【００５７】
図１１は、本発明の実施形態における事務品質管理装置の記憶装置４に記憶される損失シナリオ−潜在リスク分類関連テーブルの構成例を表形式で示す図である。  
この損失シナリオ−潜在リスク分類関連テーブルは、図２に示した損失シナリオと潜在リスク分類との紐付け情報を格納するためのテーブルであり、潜在リスク分類ＩＤ、損失シナリオＩＤ、無効フラグ、最終更新者ＩＤおよび更新日時が関連付けられて、記憶装置４のリスク管理情報記憶部４１に記憶される。
【００５８】
図１２は、本発明の実施形態における事務品質管理装置の記憶装置４に記憶されるサブコントロール内容テーブルの構成例を表形式で示す図である。  
このコントロール内容テーブルは、コントロール評価第１テーブル、コントロール評価第２テーブル上のサブコントロールの内容であるコントロール内容を格納するためのテーブルであり、コントロール種類ＩＤ、評価値、コントロール内容、コントロールグループＩＤ、チェックフラグ、表示順、無効フラグ、作成者ＩＤ、最終更新者ＩＤおよび更新日時がさらに関連付けられて、記憶装置４のリスク管理情報記憶部４１に記憶される。
【００５９】
コントロール種類ＩＤは、サブコントロールの内容に一意に付与される識別情報である。コントロール内容テーブル上の評価値は、テーブル上で関連付けられるサブコントロールの内容における、同一のメインコントロールに関わる別のサブコントロールとの間の重み付けを示す値であり、同一のメインコントロールに対応する各サブコントロールの評価値の和は１である。
【００６０】
コントロール内容テーブル上のチェックフラグは、後述するサブコントロール評価入力画面で、当該サブコントロールの内容が有効である、つまり現時点で実施されている、もしくは実施の予定があると管理者が判断して、当該入力画面上の当該サブコントロールに対応するチェックボックスが選択された場合に「１」となるフラグである。
【００６１】
図１３は、本発明の実施形態における事務品質管理装置の記憶装置４に記憶されるコントロール評価大分類テーブルの構成例を表形式で示す図である。  
このコントロール評価大分類テーブルは、コントロール評価第１テーブル、コントロール評価第２テーブル上のコントロール評価の大分類の内容を格納するためのテーブルであり、親の種別ＩＤ、親の管理ＩＤ、種別ＩＤ、管理ＩＤ、コントロール評価の大分類を示す値、表示順、無効フラグ、作成者ＩＤ、最終更新者ＩＤおよび更新日時が対応付けられて、記憶装置４のリスク管理情報記憶部４１に記憶される。
【００６２】
親の種別ＩＤは、階層構造として親の種別が存在する場合に設定される種別ＩＤであり、親の種別が存在しない場合には親の種別ＩＤは「０」となる。親の管理ＩＤは、階層構造として管理ＩＤと紐付く親の管理ＩＤである。親の種別が存在しない場合には親の管理ＩＤは「０」となる。
【００６３】
本実施形態では、コントロール評価大分類テーブルの種別ＩＤは当該テーブルに固有の「４７」である。当該テーブル上の管理ＩＤは、当該テーブル上のコントロール評価の大分類を示す各行の値に一意に付与される識別番号である。
【００６４】
図１４は、本発明の実施形態における事務品質管理装置の記憶装置４に記憶されるコントロール評価小分類テーブルの構成例を表形式で示す図である。  
このコントロール評価小分類テーブルは、コントロール評価第１テーブル、コントロール評価第２テーブル上のコントロール評価の小分類の内容を格納するためのテーブルであり、親の種別ＩＤ、親の管理ＩＤ、種別ＩＤ、管理ＩＤ、コントロール評価の小分類を示す値、表示順、無効フラグ、作成者ＩＤ、最終更新者ＩＤおよび更新日時が対応付けられて、記憶装置４のリスク管理情報記憶部４１に記憶される。
【００６５】
本実施形態では、コントロール評価小分類テーブルの親の種別ＩＤは、コントロール評価大分類テーブルの種別ＩＤである「４７」である。コントロール評価小分類テーブルの種別ＩＤは当該テーブルに固有の「４８」である。当該テーブル上の管理ＩＤは、当該テーブル上のコントロール評価の小分類を示す値に一意に付与される識別番号である。
【００６６】
図１５は、本発明の実施形態における事務品質管理装置の記憶装置４に記憶される損失事象テーブルの構成例を表形式で示す図である。  
この損失事象テーブルは、図２に示したリスク分類テーブル上の損失事象の内容を格納するためのテーブルであり、親の種別ＩＤ、親の管理ＩＤ、種別ＩＤ、管理ＩＤ、損失事情の内容を示す値、表示順、無効フラグ、作成者ＩＤ、最終更新者ＩＤおよび更新日時が対応付けられて、記憶装置４のリスク管理情報記憶部４１に記憶される。
【００６７】
本実施形態では、損失事象テーブルの種別ＩＤは当該テーブルに固有の「５１」である。当該テーブル上の管理ＩＤは、当該テーブル上の損失事象の内容に一意に付与される識別番号である。
【００６８】
図１６は、本発明の実施形態における事務品質管理装置の記憶装置４に記憶されるメインコントロール文書テーブルの構成例を表形式で示す図である。  
このメインコントロール文書テーブルは、コントロール評価第１テーブル、コントロール評価第２テーブル上のメインコントロールの内容であるコントロール文書およびコントロールグループＩＤを格納するためのテーブルであり、親のコントロールグループＩＤ、親のコントロール種類ＩＤ、コントロールグループＩＤ、コントロール文書、リスクの種類ＩＤ、無効フラグが関連付けられて、記憶装置４のリスク管理情報記憶部４１に記憶される。  
また、図示は省略するが、このコントロール文書テーブルでは、作成者ＩＤ、最終更新者ＩＤおよび更新日時がさらに関連付けられる。
【００６９】
図１７は、本発明の実施形態における事務品質管理装置の記憶装置４に記憶される損失シナリオテーブルの構成例を表形式で示す図である。  
この損失シナリオテーブルは、図２に示したリスク分類テーブル上の損失シナリオの情報を格納するためのテーブルであり、損失シナリオＩＤ、損失シナリオ、リスク発生分類ＩＤ、リスクの種類ＩＤ、無効フラグ、作成者ＩＤ、最終更新者ＩＤおよび更新日時が関連付けられて、記憶装置４のリスク管理情報記憶部４１に記憶される。
【００７０】
図１８は、本発明の実施形態における事務品質管理装置の記憶装置４に記憶されるコントロールグループパターンテーブルの構成例を表形式で示す図である。  
このコントロールグループパターンテーブルは、コントロールグループとシステムとの紐付けのためのコントロールグループパターン情報を格納するためのテーブルであり、コントロールグループパターンＩＤ、パターンＩＤ、無効フラグ、最終更新者ＩＤおよび更新日時が関連付けられる。パターンＩＤは、後述する評価対象情報の入力処理により入力された情報をもとに数字およびアンダーバーで構成した識別情報である。パターンＩＤ上のアンダーバーはワイルドカードである。
【００７１】
図６乃至図１８に示した各種テーブルの内容は入力装置２に対する所定の操作により任意に変更することができる。図２に示したリスク分類テーブル、図３、図４に示したコントロール評価第１テーブル、図５、図６に示したコントロール評価第２テーブルは、図６乃至図１８に示した各種テーブルの内容にしたがって演算処理部１２により生成されることになる。
【００７２】
次に、図１に示した構成の事務品質管理装置の動作について説明する。  
図１９は、本発明の実施形態における事務品質管理装置の処理動作の一例を示すフローチャートである。  
本実施形態で説明する事務品質管理装置は、当該事務品質管理装置を運用する企業が管理する、事務処理のための資産に関わるリスク及びコントロールに関する複数の評価対象のうち特定の評価対象を指定した際に、当該評価対象に関するリスク及びコントロールの評価作業を支援する機能を有する。
【００７３】
この評価対象となる、事務処理のための資産は、事務品質管理装置を運用する企業が管理するシステム自体、もしくは当該システムを管理する管理組織を意味する。
【００７４】
つまり、本実施形態で説明する事務品質管理装置は、具体的には、前述した企業が管理する複数のシステムのうち特定のシステムを指定して、当該システムに関するリスク及びコントロールの評価作業を支援する機能、および、前述した企業が管理するシステムを管理する複数の管理組織のうち特定の管理組織を指定して、当該管理組織によるシステム運用に関するリスク及びコントロールの評価作業を支援する機能である。
【００７５】
この事務品質管理装置は、まず、評価対象の設定者による入力装置２の操作に従い、評価対象の入力処理を行なう（ステップＳ１）。この評価対象の設定者は、当該評価対象のリスク及びコントロールの評価者とは異なる者である。
【００７６】
この入力処理の詳細について説明する。図２０は、本発明の実施形態における事務品質管理装置による評価対象入力処理の一例を示すフローチャートである。図２１は、本発明の実施形態における事務品質管理装置による評価対象種別選択画面の一例を示す図である。  
入力装置２に対して所定の操作がなされると、画面出力制御部１１は、評価対象種別選択画面を出力装置３に表示させる。
【００７７】
この選択画面では、入力装置２への入力操作により、評価対象とするリスク及びコントロールを、事務品質管理装置を運用する企業が管理する特定のシステムに関するリスク及びコントロールとするか、もしくは事務品質管理装置を運用する企業のシステムを管理する特定の管理組織によるシステム運用に関するリスク及びコントロールとするかを選択することができる。
【００７８】
特定のシステムに関するリスク及びコントロールを評価対象とする場合には、入力装置２により、画面上の「システム」に対応する「選択」アイコンを選択した上で「ＯＫ」アイコンを選択する。
【００７９】
また、事務品質管理装置を運用する企業のシステムを管理する特定の管理組織によるシステム運用に関するリスク及びコントロールを評価対象とする場合には、入力装置２により、画面上の「管理組織」に対応する「選択」アイコンを選択した上で「ＯＫ」アイコンを選択する（ステップＳ１１）。
【００８０】
図２２は、本発明の実施形態における事務品質管理装置による評価対象システム・形態登録画面の一例を示す図である。  
図２１に示した選択画面上の「システム」に対応する「選択」アイコンが選択された上で「ＯＫ」アイコンが選択されると（ステップＳ１２のＹＥＳ）、画面出力制御部１１は、図２２に示す評価対象システム・形態登録画面を出力装置３に表示させる。
【００８１】
この評価対象システム・形態登録画面では、入力装置２への入力操作により、リスクやコントロールの評価の対象となる資産であるシステムの名称、業務区分、システム重要度および当該システムの情報重要度を入力することができ、さらに図４に示したような、システムの形態の各種項目のうち評価対象のシステムに該当する項目の複数を選択することができる（ステップＳ１３，Ｓ１４，Ｓ１５，Ｓ１６，Ｓ１７）。この評価対象システム・形態登録画面における業務区分については入力を省略しても良い。
【００８２】
各種システムの名称や業務区分の名称は記憶装置４に記憶されており、登録画面におけるシステム名称の入力欄では、システムリスクのコントロールの評価対象となる各システムの名称が選択候補としてそれぞれ表示される。また、この画面では、システム重要度や情報重要度は、「最重要」、「重要」および「一般」から選択して入力することができる。
【００８３】
評価対象システム・形態登録画面もしくは評価対象管理組織・分類登録画面で入力内容が決定されると、評価対象区分情報処理部６は、ステップＳ１３〜Ｓ１６の処理で入力されたシステム名称、業務区分、システム重要度、情報重要度を、評価対象のシステム情報として、一意に付与されるツリーＩＤ、更新日時、更新者ＩＤとともに記憶装置４の評価対象情報記憶部４２に記憶する。
【００８４】
また、評価対象区分情報処理部６は、ステップＳ１７の処理でシステムの形態の各種項目のうち評価対象のシステムに該当する項目として選択された項目である選択項目に対応する識別番号を、評価対象のシステム形態情報としてツリーＩＤ、更新日時、更新者ＩＤとともに記憶装置４の評価対象情報記憶部４２に記憶する。以上で評価対象のシステムに関する入力処理が終了する。
【００８５】
図２３は、本発明の実施形態における事務品質管理装置による評価対象管理組織・分類登録画面の一例を示す図である。  
図２１に示した選択画面上の「管理組織」に対応する「選択」アイコンが選択された上で「ＯＫ」アイコンが選択されると（ステップＳ１２のＮＯ）、画面出力制御部１１は、図２３に示す評価対象管理組織・分類登録画面を出力装置３に表示させる。
【００８６】
この評価対象管理組織・分類登録画面では、入力装置２への入力操作により、リスクやコントロールの評価の対象となる資産であるシステムを管理する特定の管理組織名称および業務区分を入力することができ、さらに図６に示したような管理組織の分類の各種項目のうち評価対象の管理組織に該当する項目を複数選択することができる（ステップＳ１８，Ｓ１９，Ｓ２０）。この評価対象管理組織・分類登録画面における業務区分については入力を省略しても良い。
【００８７】
各種管理組織の名称や業務区分の名称は記憶装置４に記憶されており、登録画面における管理組織名称や業務区分の入力欄では、システムリスクのコントロールの評価対象となる各システムの名称が選択候補としてそれぞれ表示される。
【００８８】
評価対象システム・形態登録画面もしくは評価対象管理組織・分類登録画面で入力内容が決定されると、評価対象区分情報処理部６は、ステップＳ１８，Ｓ１９の処理で入力された管理組織名称、業務区分を、評価対象の管理組織情報として、一意に付与されるツリーＩＤ、更新日時、更新者ＩＤとともに記憶装置４の評価対象情報記憶部４２に記憶する。
【００８９】
また、評価対象区分情報処理部６は、ステップＳ２０の処理で管理組織の分類の各種項目のうち評価対象の管理組織に該当する項目として選択された項目に対応する識別番号を、評価対象の管理組織情報としてツリーＩＤ、更新日時、更新者ＩＤとともに記憶装置４の評価対象情報記憶部４２に記憶する。以上で評価対象の管理組織に関する入力処理が終了する。
【００９０】
評価対象リスク一覧抽出部７は、評価対象情報記憶部４２に記憶された情報のうち、この評価対象システム名称や業務区分以外の各項目の内容をもとに、評価対象リスク一覧抽出部７により、評価対象のシステムもしくは管理組織に関わるリスクの抽出処理がなされ、かつ、評価対象コントロール一覧抽出部９により評価対象のシステムもしくは管理組織に関わるコントロールの抽出処理がなされる（ステップＳ２）。
【００９１】
ここでは、図２２に示す評価対象システム・形態登録画面が出力装置３に表示されて、この画面に対する入力がなされた場合の、リスク・コントロール抽出処理の詳細について説明する。  
図２４は、本発明の実施形態における事務品質管理装置によるリスク・コントロール抽出処理の一例を示すフローチャートである。図２５は、本発明の実施形態における事務品質管理装置によるパターンＩＤ生成の手順を説明するための図である。図２６は、本発明の実施形態における事務品質管理装置によるリスク一覧取得の手順を説明するための図である。  
まず、パターンＩＤ生成部５は、評価対象のシステムの形態の各項目の内、ステップＳ１７の処理で評価対象のシステムに該当するとして選択された項目、ステップＳ１５の処理で入力されたシステム重要度、および、ステップＳ１６の処理で入力された情報重要度をもとにパターンＩＤを生成する（ステップＳ２１）。
【００９２】
具体的には、パターンＩＤの最上位の桁はシステム重要度の値であり、最上位から１つ下の桁は情報重要度の値である。入力されたシステム重要度や情報重要度が「最重要」である場合の値は「３」で、「重要」である場合の値は「２」で、「一般」である場合の値は「１」である。
【００９３】
パターンＩＤの最上位から３桁目以降の値は、図４で示した評価対象の形態の各項目の内評価対象のシステムに該当するとして選択された項目の情報を示す値である。各項目のうち、評価対象システム・形態登録画面上で評価対象のシステムに該当するとして選択された項目の値は「１」となり、選択されない項目はアンダーバーで表される。
【００９４】
評価対象リスク一覧抽出部７は、記憶装置４のリスク管理情報記憶部４１に記憶される、図１８に示すコントロールグループパターンテーブル上のコントロールグループＩＤのうち、ステップＳ２１の処理で生成されたパターンＩＤに関連付けられるコントロールグループＩＤを抽出する（ステップＳ２２）。
【００９５】
この評価対象リスク一覧抽出部７により抽出する情報は、参照先のテーブルの無効フラグが「０」である情報である。以下の評価対象リスク一覧抽出部７や評価対象コントロール一覧抽出部９による各種情報の抽出処理についても同様である。
【００９６】
評価対象リスク一覧抽出部７は、記憶装置４のリスク管理情報記憶部４１に記憶される、図１０に示すコントロールグループ−損失シナリオ関連テーブル上の損失シナリオＩＤのうちステップＳ２２の処理で抽出したコントロールグループＩＤに関連付けられる損失シナリオＩＤを抽出する（ステップＳ２３）。
【００９７】
評価対象リスク一覧抽出部７は、記憶装置４のリスク管理情報記憶部４１に記憶される、図１１に示す損失シナリオ−潜在リスク分類関連テーブル上の潜在リスク分類ＩＤのうち、ステップＳ２３の処理で抽出した損失シナリオＩＤに関連付けられる潜在リスク分類ＩＤを抽出する（ステップＳ２４）。
【００９８】
評価対象リスク一覧抽出部７は、記憶装置４のリスク管理情報記憶部４１に記憶される、図７に示す潜在リスク分類テーブル上の潜在リスク分類の内容のうち、ステップＳ２４の処理で抽出した潜在リスク分類ＩＤに関連付けられる潜在リスク分類の内容を抽出する（ステップＳ２５）。
【００９９】
評価対象リスク一覧抽出部７は、記憶装置４のリスク管理情報記憶部４１に記憶される、図１７に示す損失シナリオテーブル上の損失シナリオのうち、ステップＳ２３の処理で抽出した損失シナリオＩＤに関連付けられる損失シナリオの情報を抽出する（ステップＳ２６）。
【０１００】
また、評価対象リスク一覧抽出部７は、同じ損失シナリオテーブル上のリスク発生分類ＩＤのうち、ステップＳ２３の処理で抽出した損失シナリオＩＤに関連付けられるリスク発生分類ＩＤの情報を抽出する（ステップＳ２７）。
【０１０１】
評価対象リスク一覧抽出部７は、記憶装置４のリスク管理情報記憶部４１に記憶される、図１８に示すリスク発生分類テーブル上のリスク発生分類の内容のうち、ステップＳ２７の処理で抽出したリスク発生分類ＩＤに関連付けられるリスク発生分類の内容の情報を抽出する（ステップＳ２８）。
【０１０２】
評価対象リスク一覧抽出部７は、記憶装置４のリスク管理情報記憶部４１に記憶される、図９に示す損失シナリオ−損失事象種類関連テーブル上の損失事象種類ＩＤのうち、ステップＳ２３の処理で抽出した損失シナリオＩＤに関連付けられる損失事象種類ＩＤを抽出する（ステップＳ２９）。
【０１０３】
評価対象リスク一覧抽出部７は、記憶装置４のリスク管理情報記憶部４１に記憶される、図１５に示す損失事象テーブル上の損失事象の値、つまり損失事象の内容のうち、ステップＳ２９の処理で抽出した損失事象種類ＩＤと同じ値の管理ＩＤに対応付けられる損失事象の内容を抽出する（ステップＳ３０）。
【０１０４】
図２７は、本発明の実施形態における事務品質管理装置によるコントロール一覧取得の手順を説明するための図である。  
次に、評価対象コントロール一覧抽出部９は、記憶装置４のリスク管理情報記憶部４１に記憶される、図１６に示すメインコントロール文書テーブル上のメインコントロールであるコントロール文書のうち、ステップＳ２２の処理で評価対象リスク一覧抽出部７により抽出したコントロールグループＩＤに関連付けられるコントロール文書を抽出する（ステップＳ３１）。
【０１０５】
次に、評価対象コントロール一覧抽出部９は、記憶装置４のリスク管理情報記憶部４１に記憶される、図１３に示すコントロール評価大分類テーブル上のコントロール評価大分類の値のうち、図３に示したコントロール評価第１テーブル上でステップＳ２２の処理で評価対象リスク一覧抽出部７により抽出したコントロールグループＩＤに対応付けられるコントロール評価大分類の値を抽出する（ステップＳ３２）。
【０１０６】
評価対象コントロール一覧抽出部９は、記憶装置４のリスク管理情報記憶部４１に記憶される、図１４に示すコントロール評価小分類テーブル上のコントロール評価小分類の値のうち、図３に示したコントロール評価第１テーブル上でステップＳ２２の処理で評価対象リスク一覧抽出部７により抽出したコントロールグループＩＤに対応付けられるコントロール評価小分類の値を抽出する（ステップＳ３３）。
【０１０７】
次に、評価対象コントロール一覧抽出部９は、記憶装置４のリスク管理情報記憶部４１に記憶される、図１２に示すサブコントロール内容テーブル上のサブコントロールであるコントロール内容のうち、ステップＳ２２の処理で評価対象リスク一覧抽出部７により抽出したコントロールグループＩＤに関連付けられるコントロール内容を抽出する（ステップＳ３４）。
【０１０８】
評価対象リスク一覧抽出部７は、記憶装置４のリスク管理情報記憶部４１に記憶される、図２に示したリスク発生分類テーブル上の各行のうち、ステップＳ２５の処理により抽出した潜在リスク分類の内容、ステップＳ２６の処理により抽出した損失シナリオの情報、ステップＳ２８の処理により抽出したリスク発生分類の内容の情報、およびステップＳ３０の処理により抽出した損失事象の値が関わる行を抽出し、この抽出行にあるリスク発生分類、潜在リスク分類、損失シナリオおよび損失事象に対し、前述したように入力した評価対象システム名称、業務区分、システム重要度、情報重要度、システムの形態の選択項目の情報をあわせた評価対象リスク管理テーブルを生成して、記憶装置４の評価対象リスク一覧記憶部４３に記憶する（ステップＳ３５）。
【０１０９】
図２８は、本発明の実施形態における事務品質管理装置による評価対象リスク管理テーブルの構成例を表形式で示す図である。  
図２８に示した例は、図２に示したリスク発生分類テーブル上のリスク発生分類の各行のうち、最上段と２段目が抽出され、この抽出行にあるリスク発生分類、潜在リスク分類、損失シナリオおよび損失事象に対し、前述したように入力した評価対象システム名称、業務区分、システム重要度、情報重要度、システムの形態の選択項目の情報をあわせた評価対象リスク管理テーブルの例である。
【０１１０】
この評価対象リスク管理テーブルでは、リスクの評価値である想定損失規模の欄が損失シナリオごとに設けられ、未だ評価がなされていない場合には、想定損失規模の値は空欄となっている。
【０１１１】
次に、評価対象コントロール一覧抽出部９は、記憶装置４のリスク管理情報記憶部４１に記憶される、コントロール評価第１テーブル上の各行のうち、ステップＳ２２の処理で抽出されたコントロールグループＩＤが関わる行を抽出し、この抽出行にあるメインコントロール、コントロール評価大分類、コントロール評価小分類、サブコントロール、規定へのＲＥＦ（関連会社除く）、損失シナリオに対し、前述したように入力した評価対象システム名称、業務区分、システム重要度、情報重要度、システムの形態の選択項目の情報をあわせた評価対象コントロール管理テーブルを生成して、記憶装置４の評価対象コントロール一覧記憶部４４に記憶する（ステップＳ３６）。
【０１１２】
図２９は、本発明の実施形態における事務品質管理装置による評価対象コントロール管理テーブルの構成例を表形式で示す図である。  
図２９に示した例は、コントロール評価第１テーブル上の各行のうちコントロールＩＤ「３０００１」、「３０００２」が抽出され、この抽出行にあるメインコントロール、コントロール評価大分類、コントロール評価小分類、サブコントロール、規定へのＲＥＦ（関連会社除く）、損失シナリオに対し、前述したように入力した評価対象システム名称、業務区分、システム重要度、情報重要度、システムの形態の選択項目の情報をあわせた評価対象コントロール管理テーブルの例である。
【０１１３】
この評価対象コントロール管理テーブルでは、各種コントロールの評価値の欄がメインコントロールやサブコントロールのそれぞれについて設けられ、未だ評価がなされていない場合には、この評価値の値は空欄となっている。以上でリスク・コントロール抽出処理が終了する。
【０１１４】
次に、事務品質管理装置は、抽出済みのリスクまたはコントロールの評価入力処理を行なう（ステップＳ３）。本実施形態では抽出済みのリスクの評価入力と抽出済みのコントロールの評価とを別々に行なえるようになっている。
【０１１５】
図３０は、本発明の実施形態における事務品質管理装置による評価入力処理の一例を示すフローチャートである。図３１は、本発明の実施形態における事務品質管理装置による評価入力種別選択画面の一例を示す図である。  
画面出力制御部１１は、評価入力の対象を評価対象リスクと評価対象コントロールの間で選択するための、図３１に示した評価入力種別選択画面を出力装置３に表示させる（ステップＳ４１）。
【０１１６】
この選択画面では、入力装置２への入力操作により、評価入力の対象を評価対象のリスクとするか評価対象のコントロールとするかを選択することができる。  
評価対象リスクを評価入力対象とする場合には、入力装置２により、画面上の「リスク」に対応する「選択」アイコンを選択した上で「ＯＫ」アイコンを選択する。
【０１１７】
また、評価対象コントロールを評価入力対象とする場合には、入力装置２により、画面上の「コントロール」に対応する「選択」アイコンを選択した上で「ＯＫ」アイコンを選択する。
【０１１８】
評価入力種別選択画面上で、評価対象リスクが評価入力対象として選択された場合には（ステップＳ４２のＹＥＳ）、評価対象リスク一覧出力制御部８は、ステップＳ３５の処理で生成された評価対象リスク管理テーブルの内容をもとに、評価対象リスクとなる複数種類のリスクのうち、評価値の入力対象のリスクを選択させるための画面を出力装置３に表示させる（ステップＳ４３）。この画面の内容は図２８に示した評価対象リスク管理テーブルの内容と同内容であり、画面上の各行のうち、評価値の入力対象のリスクを含む行を入力装置２の操作により選択できるようになっている。
【０１１９】
評価値の入力対象のリスクの行が選択されると、評価対象リスク一覧出力制御部８は、選択された行に対応するリスクの評価入力のためのリスク評価入力画面を出力装置３に表示させる（ステップＳ４４）。
【０１２０】
図３２は、本発明の実施形態における事務品質管理装置によるリスク評価入力画面の表示例を示す図である。  
この入力画面には、入力済みの評価対象システム名称、業務区分、システム重要度、情報重要度、システムの形態が表示され、さらに評価対象リスク管理テーブルの抽出行のリスク発生分類、潜在リスク分類、損失シナリオ、損失事象の種類が表示され、さらに抽出行のリスクの想定損失規模（最大）の入力欄が表示される。
【０１２１】
この想定損失規模（最大）の入力欄に対し、損失による損害額の最大値が入力装置２により入力されて（ステップＳ４５）、画面上のＯＫアイコンが選択されると評価対象リスク管理テーブルの抽出行のリスクの評価値の入力が終了する。演算処理部１２は、この入力結果にしたがって評価対象リスク管理テーブルを更新し、図２に示したリスク分類テーブル上の想定損失規模（最大）も更新する。
【０１２２】
図３に示したコントロール評価第１テーブルや図５に示したコントロール評価第２テーブルに示すように、単一種類の損失シナリオが複数種類のメインコントロールに関わる場合がある。この場合で、リスク評価入力画面を、リスクに対応するコントロールを参照して当該参照した情報を紐付けた形態で表示させると、リスク評価入力画面における単一の種類のリスクの表示数が複数となってしまい、単一の種類のリスクの評価値を複数回にわたって入力しなければならない。
【０１２３】
しかし、本実施形態におけるリスク評価入力画面に表示されるリスクは、当該リスクを回避するためのコントロールの種別を参照することなく表示されるものであり、画面における単一の種類のリスクの表示数は１つで済む。よって、評価者は、評価対象のシステムに関わる特定の種類のリスクが関わるコントロールを意識することなく、リスク自体を必要最低限の作業により評価することができる。
【０１２４】
また、評価入力種別選択画面上で、評価対象コントロールが評価入力対象として選択された場合には（ステップＳ４２のＮＯ）、評価対象コントロール一覧出力制御部１０は、ステップＳ３５の処理で生成された評価対象コントロール管理テーブルの内容をもとに、評価対象コントロールとなる複数種類のメインコントロールのうち、評価値の入力対象のメインコントロールを選択させるための画面を出力装置３に表示させる（ステップＳ４６）。この画面の内容は図２９に示した評価対象コントロール管理テーブルの内容と同内容であり、画面上の各行のうち、評価値の入力対象のメインコントロールの行を入力装置２の操作により選択できるようになっている。
【０１２５】
評価値の入力対象のメインコントロールの行が選択されると、評価対象コントロール一覧出力制御部１０は、選択された行に対応するメインコントロールおよび当該メインコントロールに対応するサブコントロールの評価入力のためのコントロール評価入力画面を出力装置３に表示させる（ステップＳ４７）。
【０１２６】
図３３は、本発明の実施形態における事務品質管理装置によるコントロール評価入力画面の表示例を示す図である。  
この入力画面には、入力済みの評価対象システム名称、業務区分、システム重要度、情報重要度、システムの形態に加え、評価対象コントロール管理テーブルの抽出行の損失シナリオ、コントロール評価の大分類、小分類、規定へのＲＥＦ（関連会社除く）、メインコントロール、メインコントロールの評価入力欄、サブコントロールが表示される。なお、評価対象コントロール管理テーブルの抽出行の損失シナリオは、各種コントロールの内容の理解の補助として表示するものであり、表示を省略しても良い。
【０１２７】
メインコントロールの評価入力欄では、メインコントロールの内容の有効性の有無の評価のための「○」および「×」が選択候補として表示される。  
メインコントロールが有効である、つまり現時点で実施されている、もしくは実施の予定があると管理者により判断して図３３に示すように「○」が選択された場合やメインコントロールが有効でないと管理者により判断して「×」が選択された場合には、当該選択された内容がメインコントロールの評価結果となる（ステップＳ４８）。
【０１２８】
また、図３３に示すように、入力画面上の各種のサブコントロールの情報には当該サブコントロールの有効性の評価のためのチェックボックスが設けられる。  
これらのチェックボックスは画面上のメインコントロールの評価結果が「×」である場合に（ステップＳ４９のＮＯ）用いる欄であって、有効であると管理者により判断されたサブコントロールのチェックボックスが有効とされると（ステップＳ５０）、当該チェックボックスに対応するサブコントロールが有効と評価されたことになる。
【０１２９】
一方、メインコントロールの評価結果が「○」とされた場合（ステップＳ４９のＹＥＳ）、もしくはサブコントロールの評価値が入力装置２により入力されて、画面上のＯＫアイコンが選択されると評価対象コントロール管理テーブルの抽出行のコントロールの評価値の入力が終了する。演算処理部１２は、この入力結果にしたがって評価対象コントロール管理テーブルを更新し、コントロール第１テーブル上のメインコントロール評価やサブコントロール評価も更新する。
【０１３０】
このコントロール評価入力画面に表示されるコントロールは、当該コントロールに関わるリスクの種別を参照することなくコントロールグループＩＤごとに表示されるものである。図３に示したコントロール評価第１テーブルや図５に示したコントロール評価第２テーブルに示すように、単一の種類のメインコントロールが複数種類の損失シナリオに関わる場合があるが、このような場合でも本実施形態のコントロール評価入力画面における単一の種類のメインコントロールの表示数は１つで済むので、評価者は、評価対象のシステムに関わる特定の種類のコントロールが関わるリスクの種類を意識することなく、メインコントロールおよび当該メインコントロールに関わるサブコントロール自体を必要最低限の作業により評価することができる。
【０１３１】
図３３に示したコントロール評価入力画面では損失シナリオが表示されているが、前述したように生成したパターンＩＤに関連付けられるメインコントロールは、当該コントロール評価入力画面において表示されるメインコントロールとして決定されるものである。また、この表示される損失シナリオは、前述したように各種のメインコントロールの理解を補助するための情報である。つまり、各種のメインコントロールに関わる損失シナリオの種類の数は、コントロール評価入力画面におけるメインコントロールの表示数に影響を及ぼすものではない。
【０１３２】
リスクや各種コントロールの評価入力画面でのＯＫアイコンが入力装置２により選択されると、画面出力制御部１１は、評価入力種別選択画面を出力装置３に再度表示させる（ステップＳ５１）。
【０１３３】
この評価入力種別選択画面が表示された場合で、評価者は、評価対象の他のリスクやコントロールの評価を行なう場合には、該当の種別の選択アイコンを選択する。この場合（ステップＳ５２のＮＯ）、前述したステップＳ４２以降の処理が再度なされる。
【０１３４】
また、評価者は、評価対象の他のリスクやコントロールの評価を終了する場合には、画面上の「評価終了」の表記に対応する選択アイコンを選択してＯＫアイコンを選択する。この場合（ステップＳ５２のＹＥＳ）、評価入力処理が終了する。
【０１３５】
図３４は、本発明の実施形態における事務品質管理装置によるリスク管理自己評価データベース帳票の表示例を示す図である。  
演算処理部１２は、評価入力処理により更新された評価対象リスク管理テーブルおよび評価対象コントロール管理テーブルをもとに、評価対象のリスクのリスク発生分類、潜在リスク分類、損失シナリオ、想定損失規模（最大）、損失事象、コントロール評価の大分類、小分類、規定へのＲＥＦ（関連会社除く）、メインコントロール、当該メインコントロール評価、サブコントロール、サブコントロール評価を紐付けた、図３４に示したリスク管理自己評価データベース帳票（ＲＣＳＡ帳票）を生成する。
【０１３６】
画面出力制御部１１は、この生成したＲＣＳＡ帳票を出力装置３に画面表示させる（ステップＳ４）。つまり、画面出力制御部１１は、損失規模入力手段により入力した情報を当該情報に関わる損失情報とともに出力し、施策有効性入力手段により入力した情報を当該情報に関わる施策情報とともに出力する出力手段である。  
これにより、管理者は、評価対象のシステムについてのリスク、リスクの評価値、コントロール、当該コントロールの評価値を把握することができる。
【０１３７】
以上のように、本発明の実施形態における事務品質管理装置では、事務処理のための資産に関わる区分情報、当該区分の資産に関する予め想定した損失（リスク）、当該損失の評価、当該損失が発生することを回避するための施策（コントロール）、および当該施策の有効性の有無を示す情報を関連付けた管理情報を記憶しておき、この管理情報で示される資産の区分のうち、損失の評価対象となる資産の区分および施策の有効性の評価対象となる区分情報を入力すると、この区分に関わる損失や当該損失が発生することを回避するための施策（コントロール）の一覧が出力される。よって、評価者は、評価対象となる資産の区分を入力すれば、事務処理の規定を意識することなく、特定の区分の資産の損失や施策の評価作業にかかる効率を向上させることができる。
【０１３８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【符号の説明】
【０１３９】
１…制御部、２…入力装置、３…出力装置、４…記憶装置、５…パターンＩＤ生成部、６…評価対象区分情報処理部、７…評価対象リスク一覧抽出部、８…評価対象リスク一覧出力制御部、９…評価対象コントロール一覧抽出部、１０…評価対象コントロール一覧出力制御部、１１…画面表示出力部、１２…演算処理部、１３…バス、４１…リスク管理情報記憶部、４２…評価対象情報記憶部、４３…評価対象リスク一覧記憶部、４４…評価対象コントロール一覧記憶部。
【図１】
2010231600.tif 000003
【図２】
2010231600.tif 000004
【図３】
2010231600.tif 000005
【図４】
2010231600.tif 000006
【図５】
2010231600.tif 000007
【図６】
2010231600.tif 000008
【図７】
2010231600.tif 000009
【図８】
2010231600.tif 000010
【図９】
2010231600.tif 000011
【図１０】
2010231600.tif 000012
【図１１】
2010231600.tif 000013
【図１２】
2010231600.tif 000014
【図１３】
2010231600.tif 000015
【図１４】
2010231600.tif 000016
【図１５】
2010231600.tif 000017
【図１６】
2010231600.tif 000018
【図１７】
2010231600.tif 000019
【図１８】
2010231600.tif 000020
【図１９】
2010231600.tif 000021
【図２０】
2010231600.tif 000022
【図２１】
2010231600.tif 000023
【図２２】
2010231600.tif 000024
【図２３】
2010231600.tif 000025
【図２４】
2010231600.tif 000026
【図２５】
2010231600.tif 000027
【図２６】
2010231600.tif 000028
【図２７】
2010231600.tif 000029
【図２８】
2010231600.tif 000030
【図２９】
2010231600.tif 000031
【図３０】
2010231600.tif 000032
【図３１】
2010231600.tif 000033
【図３２】
2010231600.tif 000034
【図３３】
2010231600.tif 000035
【図３４】
2010231600.tif 000036